(57)【要約】【課題】非使用時、摩擦体が汚れることを回避できる熱変色性筆記具を提供する。【解決手段】熱変色性インキが吐出可能なペン先７と、熱変色性インキの筆跡を摩擦しその際に生じる摩擦熱で該筆跡を熱変色可能な低磨耗性の弾性材料からなる摩擦体５とを備えた熱変色性筆記具であって、筆記具１が、軸部材４と、該軸部材４の端部３ａに突設した摩擦体５と、軸部材４に装着させて摩擦体５を被覆するカバー６とを有し、カバー６を軸部材４に回転しながら前進させて係合し、カバー６の底部６０に摩擦体５の端部である摩擦部５ａを当接させることにより当該カバー６の回り止めとする。【選択図】          図５
2014124810.tif 000002
【特許請求の範囲】
【請求項１】
熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、前記筆記具が、軸部材と、該軸部材の端部に突設した摩擦体と、前記軸部材に装着させて前記摩擦体を被覆するカバーとを有し、前記カバーを前記軸部材に回転しながら前進させて係合し、前記カバーの底部に前記摩擦体の端部である摩擦部を当接させることにより当該カバーの回り止めとする構造の熱変色性筆記具。
【請求項２】
熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、前記筆記具が、軸部材と、該軸部材の端部に突設した摩擦体と、前記軸部材に装着させて前記摩擦体を被覆するカバーとを有し、前記カバーの底部に前記摩擦体と摺接して当該摩擦体の汚れを拭き取る払拭体を配設し、前記カバーを前記軸部材に回転しながら前進させて係合し、前記カバーの払拭体に前記摩擦体の端部である摩擦部を当接させることにより当該カバーの回り止めとする構造の熱変色性筆記具。
【発明の詳細な説明】
【技術分野】
【０００１】
本発明は、熱変色性筆記具に関する。詳細には、熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具に関する。
【背景技術】
【０００２】
従来、熱変色性インキを用いて紙面に筆記した筆跡を、摩擦した際の摩擦熱で熱変色させる摩擦体付きの熱変色性筆記具は知られており、例えば特許文献１には、可逆熱変色性インキを内蔵させた筆記具の軸胴の後端部や筆記具用キャップの頂部に摩擦体を設けた構造が記載されており、筆記具で筆記した熱変色性インキによる筆跡を、その筆記具に設けた摩擦体で熱変色できる構造が開示されている。
【０００３】
また、特許文献１に記載された筆記具では、弾性材料からなる摩擦体が常に外部へ突出した状態になっており、見た目に安っぽく見え、その上、非使用時に摩擦体に付着した埃や手垢等で摩擦時に紙面を汚す場合があった。そこで特許文献２では、使用時においては摩擦体がキャップから突出し、非使用時においては摩擦体をキャップに設けた出没孔へ没入させる構造が提案されている。しかしながら特許文献２の構造では、摩擦体が没入した状態にあっても、摩擦体の端部が出没孔より外部へ露出してしまう構造であることから摩擦部が汚れてしまう虞があった。
【０００４】
ところで、軸筒の後端部に消しゴムを設けたシャープペンシルなどの筆記具では、消しゴムの汚れを防止すると共に、消しゴムが露出することによるデザインの低下を防止するために、非使用時には消しゴムを被覆するカバーを装着して、筆記具の見栄えが悪くならないようにすることが一般的である。この様な筆記具の中でも、特に高級な筆記具では、軸筒とカバーとを螺合により装着させる構造を採用することが多い。したがって、この構造を前述の摩擦体を備えた熱変色性筆記具に採用することも可能ではあるが、軸筒にカバーを螺合で装着させる構造では、螺合状態が少しでも緩んでしまうと、カバーが途端に外れやすくなって脱落してしまい、カバーを紛失してしまうことで筆記具の見栄えがかえって悪くなるという問題が存在している。
【０００５】
尚、前述した消しゴムを被覆するカバーの螺合状態を緩み難くする方法としては、例えば先行文献３や先行文献４で開示された構造が存在する。先行文献３の構造では、カバー（尾冠）の内方に弾性体であるＯリングを配設することで、カバーを軸筒に螺合した際に、軸筒の後端部がＯリングに接して緩みを防止できる構造になっている。また先行文献４の構造では、大キャップに突起を設けると共に、大キャップの端部に螺合する小キャップに前記大キャップの突起に対応する凸部を設け、小キャップを大キャップに螺合する際に、小キャップの凸部が大キャップの突起を乗り越えて緩みが防止できる構造になっている。しかしながら先行文献３の構造では、Ｏリングという別部材が必要であり、カバーの内部にＯリングを装着し難いという問題があった。また先行文献４の構造では、大キャップの外側面および小キャップの内側面に対し、突起や凸部を形成する必要があり、大キャップや小キャップを樹脂材にて射出成形する以外の方法、例えば金属材の切削加工等では成形が困難であった。
【０００６】
【特許文献１】特開２００４−１４８７４４号公報
【特許文献２】特開２００９−１２６１０２号公報
【特許文献３】特開２００９−６１６３０号公報
【特許文献４】特開２００２−３６２０８２号公報
【発明の概要】
【発明が解決しようとする課題】
【０００７】
本発明は前記従来の問題点を解決するものであって、非使用時、摩擦体が汚れることを回避できる熱変色性筆記具を提供しようとするものである。
【課題を解決するための手段】
【０００８】
本発明は、
「１．熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、前記筆記具が、軸部材と、該軸部材の端部に突設した摩擦体と、前記軸部材に装着させて前記摩擦体を被覆するカバーとを有し、前記カバーを前記軸部材に回転しながら前進させて係合し、前記カバーの底部に前記摩擦体の端部である摩擦部を当接させることにより当該カバーの回り止めとする構造の熱変色性筆記具。
２．熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、前記筆記具が、軸部材と、該軸部材の端部に突設した摩擦体と、前記軸部材に装着させて前記摩擦体を被覆するカバーとを有し、前記カバーの底部に前記摩擦体と摺接して当該摩擦体の汚れを拭き取る払拭体を配設し、前記カバーを前記軸部材に回転しながら前進させて係合し、前記カバーの払拭体に前記摩擦体の端部である摩擦部を当接させることにより当該カバーの回り止めとする構造の熱変色性筆記具。」である。
【０００９】
摩擦体を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等があげられる。尚、本発明における摩擦体は、高摩耗性の弾性材料（例えば、消しゴム等）からなるものではなく、摩擦時に摩耗カス（消しカス）が殆ど生じない低摩耗性の弾性材料で構成する必要があり、これにより摩擦体を摩擦に用いても摩擦体の形状が変化しないので、摩擦体とカバーの底部との当接の関係や、摩擦体とカバーに配設した払拭体との当接の関係が変化しない構造となる。
【００１０】
摩擦体を被覆するカバーは、その形状を半球形状や筒形状など任意の形状に成形することが可能であり、軸部材へ装着する側が開口してその反対側に底部を有した形状とすればよい。尚、カバーの底部は完全に閉塞していなくてもよく、カバーの一部に通気孔を設け、キャップを飲み込んでも一時的に空気流通を確保できる構造としてもよい。この場合の通気孔は、筆記具を筆箱や筆立に収容する際において、指や埃が触れ難く、摩擦体の摩擦部の汚れを防止できる位置や大きさに形成する必要がある。また、カバーを構成する材料は、合成樹脂（例えば、ポリカーボネイト、ポリエチレン、ポリプロピレン、ＡＢＳ樹脂等）、あるいは真鍮やステンレス等の金属を用いることができる。
【００１１】
摩擦体と摺接する払拭体は、スポンジやブラシあるいはフェルトなど表面に起伏があると共に、カバーを軸部材に回転しながら前進させて係合する際に、摩擦体に圧接された払拭体が徐々に弾性変形するものがよい。払拭体としてスポンジを用いる場合には、独立気泡型で気泡同士がつながっていない構造よりも、連続気泡型で気泡同士が連なった構造の方が、払拭体の内部にまで摩擦体に付着した汚れを吸収しやすくなり好ましい。払拭体としてブラシを用いる場合には、柔軟な布材あるいはカバーの内面形状に沿って形成した樹脂材に天然繊維や合成繊維からなる毛を植毛した構造や、カバーの底部に対して天然繊維や合成繊維からなる毛を直接植毛した構造にすることができる。尚、カバーを軸部材に回転させながら前進させて係合する際において払拭体と摩擦体とを摺接させるためには、カバーの底部に対して払拭体が動かないように固定されていることが好ましく、カバーと払拭体とを別体で成形する場合には、カバーに対して払拭体を接着剤や両面テープなどで固着すればよい。
【００１２】
軸部材とカバーとの関係は、例えば、軸部材の端部に雄螺子部を形成すると共にカバーに雌螺子部を形成したり、あるいは軸部材またはカバーに突起を形成すると共に軸部材またはカバーに螺旋溝や傾斜溝を形成して、軸部材に対してカバーを回転しながら前進させることで係合させることができ、且つ摩擦体がカバーの底部または払拭体と当接することで、カバーと軸部材とが相対的に離間するよう弾発されると共に、カバーと軸部材との回転方向における係止状態により、軸部材とカバーとが離間する直線方向への弾発力を抑制して、カバーの脱落を防止できる構造とする。
【発明の効果】
【００１３】
本発明の熱変色性筆記具は、非使用時、摩擦体が汚れることを回避できる。
【図面の簡単な説明】
【００１４】
【図１】本実施例の熱変色性筆記具の姿図である。（実施例１〜３）
【図２】軸部材からカバーを外した状態の端面図である。（実施例１）
【図３】軸部材からカバーを外した状態の姿図である。（実施例１）
【図４】軸部材にカバーを装着した状態の端面図である。（実施例１）
【図５】軸部材にカバーを装着した状態の姿図である。（実施例１）
【図６】軸部材からカバーを外した状態の端面図である。（実施例２）
【図７】軸部材からカバーを外した状態の姿図である。（実施例２）
【図８】軸部材にカバーを装着した状態の端面図である。（実施例２）
【図９】軸部材にカバーを装着した状態の姿図である。（実施例２）
【図１０】軸部材からカバーを外した状態の端面図である。（実施例３）
【図１１】図１１は、軸部材にカバーを装着した状態の端面図である。（実施例３）
【発明を実施するための形態】
【００１５】
以下、図面を参照して本発明における熱変色性筆記具の実施例１〜３について説明を行う。尚、説明を分かりやすくするために、図面中の同様の部材、同様の部分については同じ番号を付してある。またペン先側を前方と表現し、その反対側を後方と表現する。
【００１６】
図１に示すように筆記具１は、前軸２と後軸３とで軸部材４を構成し、低摩耗性のスチレン系エラストマーからなる摩擦体５を、端部の摩擦部５ａが軸部材４の後端部３ａに設けた後端開口部３ｂから突出した状態となるよう圧入して固設してある。また、軸部材４の後端部３ａにはカバー６（１６，２６）が装着できるようにしてあり、前軸２に対して後軸３を回転させることで、軸部材４の内部に収容した筆記体のペン先７を前端開口部２ａから出没できる構造としてある。尚、筆記具１は、図示しないが筆記体の内部に収容した熱変色性インキをペン先７により紙面へ筆記することができ、その書いた筆跡を摩擦体５の摩擦部５ａで摩擦して摩擦熱で熱変色を可能とした構造である。
【００１７】
次に、図２〜図５を用いて実施例１について詳述を行う。実施例１のカバー６は、軸部材４へ装着する前方側に開口部６ａを設け、その反対側となる後方を半球形状に形成してある。また、開口部６ａの内面には雌螺子部６ｂを形成してあり、軸部材４の後端部３ａに形成した雄螺子部３ｃへ螺合により装着することができる。
【００１８】
実施例１では、軸部材４の雄螺子部３ｃにカバー６の雌螺子部６ｂを螺合して装着することにより、非使用時における摩擦体５をカバー６で被覆して摩擦部５ａの汚れを防止することができ、カバー６の底部６０に対して摩擦体５の摩擦部５ａが当接することで、摩擦体５の弾力でカバー６と軸部材４とが相対的に離間するよう弾発されると共に、軸部材４とカバー６との回転方向における係合状態（螺合）で軸部材４とカバー６とが離間する直線方向への弾発力が抑制されることにより、カバー６の脱落を防止できるものとなった。
【００１９】
次に、図６〜図９を用いて実施例２について詳述を行う。実施例２のカバー１６は、底部６０に、連続気泡型の発泡ウレタンスポンジを払拭体８として接着剤（図示せず）で固着してある。他の点は、前述の実施例１と同様のため説明は省略する。
【００２０】
実施例２では、軸部材４の雄螺子部３ｃにカバー１６の雌螺子部６ｂを螺合して装着することにより、非使用時における摩擦体５をカバー１６で被覆して摩擦部５ａの汚れを防止することができ、カバー１６に固着した払拭体８に対して摩擦体５の摩擦部５ａが当接することで、スポンジである払拭体８の弾力でカバー１６と軸部材４とが相対的に離間するよう弾発されると共に、軸部材４とカバー１６との回転方向における係合状態（螺合）で軸部材４とカバー１６とが離間する直線方向への弾発力が抑制されることにより、カバー１６の脱落を防止できるものとなった。また、軸部材４にカバー１６を螺合する際においては、摩擦体５の摩擦部５ａが払拭体８を圧接しながら摺接するので、摩擦体５の使用時に摩擦部５ａに付着した汚れを、払拭体８により除去することができた。
【００２１】
次に、図１０と図１１を用いて実施例３について詳述を行う。実施例３のカバー２６は、底部６０に、基布９ａにナイロン製の毛束９ｂを植毛したブラシを払拭体９として接着剤（図示せず）で固着してある。他の点は、前述の実施例１と同様のため説明は省略する。
【００２２】
実施例３では、軸部材４の雄螺子部３ｃにカバー２６の雌螺子部６ｂを螺合して装着することにより、非使用時における摩擦体５をカバー２６で被覆して摩擦部５ａの汚れを防止することができ、カバー２６に固着した払拭体９に対して摩擦体５の摩擦部５ａが当接することで、ブラシである払拭体９の弾力でカバー２６と軸部材４とが相対的に離間するよう弾発されると共に、軸部材４とカバー２６との回転方向における係合状態（螺合）で軸部材４とカバー２６とが離間する直線方向への弾発力が抑制されることにより、カバー２６の脱落を防止できるものとなった。また、軸部材４にカバー２６を螺合する際においては、摩擦体５の摩擦部５ａが払拭体９の毛束９ｂを圧接しながら摺接するので、摩擦体５の使用時に摩擦部５ａに付着した汚れを、払拭体９により除去することができた。
【符号の説明】
【００２３】
１…筆記具、２…前軸、２ａ…前端開口部、
３…後軸、３ａ…後端部、３ｂ…後端開口部、３ｃ…雄螺子部、
４…軸部材、５…摩擦体、５ａ…摩擦部、
６，１６，２６…カバー、６ａ…開口部、６ｂ…雌螺子部、６０…底部、
７…ペン先、８…払拭体（スポンジ）、
９…払拭体（ブラシ）、９ａ…基布、９ｂ…毛束。
【図１】
2014124810.tif 000003
【図２】
2014124810.tif 000004
【図３】
2014124810.tif 000005
【図４】
2014124810.tif 000006
【図５】
2014124810.tif 000007
【図６】
2014124810.tif 000008
【図７】
2014124810.tif 000009
【図８】
2014124810.tif 000010
【図９】
2014124810.tif 000011
【図１０】
2014124810.tif 000012
【図１１】
2014124810.tif 000013